(57)【要約】  【課題】連続押印式の角型印判において、所望の押印位置へ印判の印字領域を正確に位置合わせできるようにする。  【解決手段】ゴム印字体4が収容されている外筒2の前後左右四面に、印字体の外形範囲を示すリブ7を設ける。リブによって外筒内の印字体の印字範囲を視認でき、押印枠や所望の押印位置へ正確に位置合わせして押印できる。【選択図】図1
2007283535.tif 000002
【特許請求の範囲】
【請求項１】
角型の外筒内に印字体を上下スライド自在に収容し、且つバネにより前記印字体を上方へ付勢し、前記印字体を押し下げ操作することにより前記印字体が被印字体と当接して押印される角型印判において、前記外筒に前記印字体の外形範囲を示す表示部を備えていることを特徴とする角型印判。
【請求項２】
上記表示部は、リブまたは溝、または線表示、または色分け領域である請求項1記載の角型印判。
【請求項３】
角型の外筒内に印字体を上下スライド自在に収容し、且つバネにより前記印字体を上方へ付勢し、前記印字体を押し下げ操作することにより前記印字体が被印字体と当接して押印される角型印判において、前記外筒の前後の側面の少なくとも一方と、前記外筒の左右の側面の少なくとも一方に、夫々水平方向へ移動自在な複数の表示部を備え、前記表示部により前記印字体の印字範囲を表示できるようにしたことを特徴とする角型印判。
【請求項４】
前記表示部は、前記外筒の側面に沿って水平方向へ移動自在な移動可能表示部として設けられていることを特徴とする請求項１に記載の角型印判。
【発明の詳細な説明】
【技術分野】
【０００１】
この発明は、角型印判に関するものであり、特に、押印位置を正確に把握できるようにした角型印判に関するものである。
【背景技術】
【０００２】
印判やその他のスタンプなどを押印する際は、紙面の縦横方向に対して印影が正しい位置に正しい向きで押印されることが望ましい。印判の向き（印面の回転角度）を把握できるようにするための技術の一例としては、印判の側面に夫々Ｘ方向とＹ方向へ延びる表示体を開閉自在に設け、印判の回転角度を視認できるようにした印判（特許文献１）が知られている。また、連続押印式ゴム印判の外筒のＹ方向側面（前面）に凹部を形成し、印判の向きを把握できるようにした印判（特許文献２）も知られている。
【特許文献１】特開2000-289315号公報
【特許文献２】実用新案登録第3016980号公報
【発明の開示】
【発明が解決しようとする課題】
【０００３】
多孔質ゴムを素材とした印字体にインクを含浸させて連続的に押印できるようにした印判は広く使用されている。この種の連続押印可能な印判は、外筒内にゴム印字体が収容されていて、外筒の先端を紙面などに当ててゴム印字体を押し下げることにより、ゴム印字体が紙面に接して押印されるもので、丸型の認印や、認印よりも大きい角型のものなど種々の形状のものがあるが、いずれにしても、外筒内にゴム印字体が収容されているので、外筒よりも印面の直径または縦横寸法が小さく、特に、比較的大型の角型印判においては、外筒と印判の寸法差が大きく、外筒の外見からは印面の寸法を把握し難い。したがって、押印枠の中心に位置を合わせて押印したり、所定の押印位置へ正確に位置合わせして押印したりすることが容易ではないという問題がある。
【０００４】
そこで、外筒内にゴム印字体が収容されている角型印判において、外見から押印領域の範囲を把握できるようにするために解決すべき技術的課題が生じてくるのであり、本発明は上記課題を解決することを目的とする。
【課題を解決するための手段】
【０００５】
この発明は、上記目的を達成するために提案するものであり、角型の外筒内に印字体を上下スライド自在に収容し、且つバネにより前記印字体を上方へ付勢し、前記印字体を押し下げ操作することにより前記印字体が被印字体と当接して押印される角型印判において、前記外筒に前記印字体の外形範囲を示す表示部を備えていることを特徴とする角型印判を提供するものである。
【０００６】
また、上記表示部は、リブまたは溝、または線表示、または色分け領域である角型印判を提供するものである。
【０００７】
また、角型の外筒内に印字体を上下スライド自在に収容し、且つバネにより前記印字体を上方へ付勢し、前記印字体を押し下げ操作することにより前記印字体が被印字体と当接して押印される角型印判において、前記外筒の前後の側面の少なくとも一方と、前記外筒の左右の側面の少なくとも一方に、夫々水平方向へ移動自在な複数の表示部を備え、前記表示部により前記印字体の印字範囲を表示できるようにしたことを特徴とする角型印判を提供するものである。
【０００８】
前記表示部は、前記外筒の側面に沿って水平方向へ移動自在な移動可能表示部として設けられていることを特徴とする請求項１に記載の角型印判。
【発明の効果】
【０００９】
本発明の角型印判は、外筒に設けたリブや指標線などの表示部から、外筒内の印字体の印字範囲を視認でき、押印枠や所望の押印位置へ正確に位置合わせして押印できる。
【００１０】
また、表示部を外筒の側面に沿って水平方向へ移動自在とし、印字体の文字列の幅などに合わせて表示部の位置を調節できるようにすることにより、より正確な位置合わせが可能となる。この構成においては、印字体に複数の情報（名称、住所、電話番号など）が刻印されているような場合に、複数の情報の中から目的とする情報の印字範囲に合わせて表示部の位置を調節して、目的とする情報を主体とした印字位置合わせもできる。また、表示部を印面の中心に合わせることで、押印枠と印面の中心合わせも可能である。
【発明を実施するための最良の形態】
【００１１】
この発明は、角型の外筒内に印字体を上下スライド自在に収容し、且つバネにより印字体を上方へ付勢し、印字体を押し下げ操作することにより印字体が被印字体と当接して押印される角型印判において、前記外筒に印字体の外形範囲を示す表示部を備えることにより、外見から押印領域の範囲を把握可能とするという目的を達成した。
【実施例１】
【００１２】
図1及び図2は連続押印式の角型印判1を示し、図1に示すように、角型の外筒2内に印字体ホルダ3が収容されていて、樹脂製或いは金属製の角型フレームで側面を囲まれた多孔質ゴム製のゴム印字体4が印字体ホルダ3の下面に取付けられている。外筒2の上面中央に形成されている角筒型のスライドガイド部5内には、印字体ホルダ3と一体の軸部（図示せず）が入っており、スライドガイド部5の上端にハンドル6が上下スライド自在に取付けられている。印字体ホルダ3の軸部と外筒2とには圧縮コイルバネ（図示せず）が介装されていて、印字体ホルダ3及びハンドル5は浮上方向へ付勢されている。上記の構成は、従来の連続押印式印判と異なる箇所はなく、角型印判1を紙面に載せてハンドル5を押し下げれば、印字体ホルダ3とゴム印字体4がハンドル5に押されて下降し、インクを含浸させたゴム印字体4の印面が紙面に接して押印される。
【００１３】
外筒2の前後左右の側面には、本発明の要旨である押印領域表示手段として縦方向のリブ7が形成されている。四つの側面には夫々ゴム印字体4の縦横（X-Y方向）の範囲を示す二つのリブ7が設けられていて、各側面の二つのリブ7の間が印面領域であり、角型印判1を紙面に載せたときにリブ7の位置から印面領域の位置を視認することができ、紙面の押印すべき位置に印面のX-Y方向の位置を正確に一致させることができる。
【実施例２】
【００１４】
図3に示す角型印判11は、図2の角型印判1のリブ7に代えて、外筒12に指標線13を表示したものである。ゴム印字体4の縦横範囲を示す夫々一対の指標線13は、外筒12の上面を通って前後の側面へと連続しており、同様に左右両側面の指標線13も外筒12の上面を通って連続していて、外筒12の上面に指標線13が表示されているので、角型印判11を上から見た場合にも印面範囲を把握しやすくなっている。
【００１５】
図4に示す角型印判21は、図3の各側面の一対の指標線13で挟まれるスペースを他の部分とは別の色（ハッチング部分）で塗潰すことにより、印面範囲の視認性を更に向上させたものである。
【実施例３】
【００１６】
角型印判に刻まれる文字数、行数、文字サイズなどは種々多様であり、実際の印字範囲はゴム印字体の縦横寸法とは必ずしも一致しないから、リブや指標などの印面範囲表示手段もゴム印字体の縦横寸法ではなく実際の印字範囲を表示するほうが、押印位置をより正確に把握することができる。
【００１７】
図5に示す角型印判31は、外筒32の前後左右の四面にリブ型スライダ33を二つずつ設けたものであり、リブ型スライダ33の位置を印面の刻印範囲に合わせて調節することにより、実際の印字範囲を正確に把握できるようにしたものである。外筒32の前後左右の四面には横方向のスライドガイド溝34が形成されていて、図6に示すように、リブ型スライダ33の背面に形成したＴ型プレート部33aをスライドガイド溝34に係合させてリブを保持している。Ｔ型プレート部33aとスライドガイド溝34を、隙間のない締り嵌めの関係とすることにより、手操作により任意の位置へスライドさせたＴ型プレート部33aが、振動などの外力によって不用意に移動することを防止できる。
【００１８】
尚、上記の例では、前後左右四面のリブ型スライダ33は夫々独立してスライドできる構造となっている。これにより、角型印判に刻まれる複数の種々多様な印字情報のそれぞれに対して、リブ型スライダ33の位置を調整することができ、押印位置を印字情報ごとに把握することができる。また、この例に対して、前後両側面並びに左右両側面で夫々同位置を示すリブ型スライダ33を、外筒の天井面の下を通る連結バーなどの手段により連結して、前後両側面のリブ型スライダが連動し、左右両側面のリブ型スライダが連動するようにしてもよい。これにより、リブ型スライダ33の調節が容易となり、且つ角型印判の四周からの押印位置を容易に把握することができる。
【００１９】
また、実施例１，２，３においては、前後左右四面の夫々に一対のリブ7や指標線13を配置したり、色を塗りわけたりしているが、これよりも視認性に劣るものの、前又は後の一面と左又は右の一面にのみ一対のリブや指標線を配置したり色を塗りわけたりした構成であっても印面範囲を視認することはできる。
【００２０】
また、通常、これらの印判のハンドルの天面には印面と同じ内容の文字などを表示して、印面の天地を視認できるようにしているが、不注意により視認を怠って天地を逆に押印してしまうことがある。このような誤りを防止するためには、図７に示すように、ハンドル6の上面または外筒2の上面に矢印マークAなどの方向表示を設けるとよい。また、同図のようにハンドル6の平面形状を五角形としたり、前面を凸状曲面としたりして、前後非対称の形状とすることにより、目でみなくともハンドルを掴めば印判の向きを判断でき、不注意による押印ミスを防止できる。
【００２１】
尚、この発明は上記の実施形態に限定するものではなく、この発明の技術的範囲内において種々の改変が可能であり、この発明がそれらの改変されたものに及ぶことは当然である。
【図面の簡単な説明】
【００２２】
【図１】本発明の印判の一実施形態を示す斜視図である。
【図２】図1の印判を示し、(a)は平面図、(b)は正面図、(c)は底面図、(d)は側面図である。
【図３】印判の他の実施形態を示し、(a)は平面図、(b)は正面図、(c)は底面図、(d)は側面図である。
【図４】印判の他の実施形態を示し、(a)は平面図、(b)は正面図、(c)は底面図、(d)は側面図である。
【図５】印判の他の実施形態を示し、(a)は平面図、(b)は正面図、(c)は底面図、(d)は側面図である。
【図６】図5の印判の正面断面図。
【図７】印判の他の実施形態を示し、(a)は平面図、(b)は正面図、(c)は底面図、(d)は側面図である。
【符号の説明】
【００２３】
1      角型印判
2      外筒
3      印字体ホルダ
4      ゴム印字体
5      スライドガイド部
6      ハンドル
7      リブ
11     角型印判
12     外筒
13     指標線
21     角型印判
31     角型印判
32     外筒
33     リブ型スライダ
33a    T型プレート部
34     スライドガイド溝
A      矢印マーク
【図１】
2007283535.tif 000003
【図２】
2007283535.tif 000004
【図３】
2007283535.tif 000005
【図４】
2007283535.tif 000006
【図５】
2007283535.tif 000007
【図６】
2007283535.tif 000008
【図７】
2007283535.tif 000009